(57)【要約】【課題】  ズボン、スカート等のウエスト打ち合わせ部の外側生地内面に連結部材が取付けられ、ウエスト打ち合わせ部の内側生地外面にスライダに挿通されたレールの両端が取付けられるとともに、連結部材とスライダとが連結されるウエストサイズ調節用アジャスタの取付け構造において、連結部材の取付けの際に正確な位置決めをすることができるウエストサイズ調節用アジャスタの取付け構造を提供する。【解決手段】  連結部材(3)に縫着用穴部(35)が形成されており、縫着用穴部(35)とウエスト打ち合わせ部の外側生地(5)内面とが縫着手段により取付けられることにより、連結部材(3)と外側生地(5)との目視による位置決めを容易かつ正確に行うことができる。また、位置決めを行った状態のまま縫着手段で縫着することができるため、連結部材(3)の位置がズレにくく、連結部材(3)が正確に所定の位置に取付けられる。【選択図】  図１
2005054320.tif 000002
【特許請求の範囲】
【請求項１】
スライダ(1)と連結部材(3)及びレール(4)とから構成され、前記スライダ(1)を構成する操作体(20)とスライダ基体(10)との間にレール(4)が挿通される挿通空間が形成されており、前記連結部材(3)には、スライダ(1)のスライド方向に沿って舌片状に延設された起立片(37)が形成されており、前記スライダ(1)のスライダ基体(10)には前記起立片(37)に係合される係合部(15)と、前記連結部材(3)が抱持される枠部(11)とが形成されており、ズボン、スカート等のウエスト打ち合わせ部の外側生地(5)内面に連結部材(3)が取付けられ、また、ウエスト打ち合わせ部の内側生地(6)外面にスライダ(1)に挿通されたレール(4)の両端が取付けられるとともに、連結部材(3)の起立片(37)とスライダ基体(10)の係合部(15)とが係合され、かつ連結部材(3)が枠部(11)に抱持されて連結部材(3)とスライダ(1)とが連結されるウエストサイズ調節用アジャスタの取付け構造において、
前記連結部材(3)に縫着用穴部(35)が形成されており、縫着用穴部(35)とウエスト打ち合わせ部の外側生地(5)内面とが縫着手段により取付けられることを特徴とするウエストサイズ調節用アジャスタの取付け構造。
【請求項２】
連結部材(3)は連結主部(31)と先端側固定部(32)とを有し、前記先端側固定部(32)は連結部材(3)の先端側に形成され、縫着用穴部(35)が形成されており、連結主部(31)に起立片(37)が形成されたことを特徴とする請求項１に記載のウエストサイズ調節用アジャスタの取付け構造。
【請求項３】
連結部材(3)は連結主部(31)と先端側固定部(32)と後端側固定部(33)とを有し、前記先端側固定部(32)は連結部材(3)の先端側に形成され、縫着用穴部(35)が形成されており、前記後端側固定部(33)は連結部材(3)の後端側においてスライド方向に交わる幅方向に延設されて、スライダ基体(10)に形成される枠部(11)の幅方向の寸法より大きい幅方向の寸法を有するとともに、両端に縫着用穴部(35)が形成されており、前記連結主部(31)は先端側固定部(32)の後端側であって、かつ後端側固定部(33)の先端側に形成されており、該連結主部(31)の内部に起立片(37)が形成されたことを特徴とする請求項１に記載のウエストサイズ調節用アジャスタの取付け構造。
【発明の詳細な説明】
【技術分野】
【０００１】
本発明は、ズボン、スカート等のウエストサイズの調整を可能とするアジャスタの取付け構造に関する。
【背景技術】
【０００２】
ズボン、スカート等のウエスト部分にウエストサイズの調整を可能とするアジャスタが取付けられる場合には、スライダがウエスト打ち合わせ部の外側生地内面に取付けられ、スライダに挿通されたレールの両端がウエスト打ち合わせ部の内側生地外面に取付けられる。しかし、スライダにレールを挿通させてからスライダをウエスト打ち合わせ部に取付ける作業はレールによって作業空間が狭められるため作業性が悪く、作業効率が低いという問題がある。
【０００３】
そこで従来、スライダを取付ける外側生地内面に予め連結部材を取付けておき、スライダに挿通されたレールの両端を内側生地外面に取付けた後、前記連結部材とスライダとを連結させることとするアジャスタの取付け構造が提案されている（例えば、特許文献１参照）。
【０００４】
前記アジャスタの取付け構造では、連結部材は内面側部材と外面側部材とから構成される。内面側部材はスライダと直接連結される部材であって、外側生地内面に取付けられる。アジャスタがウエスト打ち合わせ部に取付けられた状態において、アジャスタの身体正面側を「先端側」とし、身体背面側を「後端側」とすると、内面側部材の先端側にカシメ爪部が形成され、後端側に起立片が形成される。外面側部材は内面側部材のカシメ爪部を受ける部材であって、外側生地外面に取付けられる。外側生地に内面側部材のカシメ爪部を貫通させて外面側部材にカシメ止めし、外側生地を内面側部材と外面側部材とで挟持させて連結部材が取付けられる。
【０００５】
カシメ止めはカシメ装置を用いて行われる。カシメ装置は加圧手段により鉛直方向に作動する軸部と受け台とを有している。軸部に設けられた上駒とこれに対峙するように受け台に設けられた下駒とに内面側部材及び外面側部材がセットされる。受け台の上に外側生地が載置された状態において内面側部材と外面側部材とが加圧されて、外側生地に連結部材がカシメ止めされる（例えば、特許文献２参照）。
【０００６】
前記アジャスタの取付け構造によれば、レールと連結部材とはそれぞれ独立して取付けることができる。これらがウエスト打ち合わせ部の生地に取付けられた状態でスライダと連結部材を連結させることにより、アジャスタが取付けられるため、アジャスタの取付けの作業効率を向上させることができる。
【特許文献１】特開２００１−１１７１９号公報
【特許文献２】特開２００２−２０１５２３号公報
【発明の開示】
【発明が解決しようとする課題】
【０００７】
前記従来のアジャスタの取付け構造では、外側生地に対して連結部材がカシメ止めにより取付けられる。連結部材が取付けられる位置は外側生地に対してスライダが取付けられる部分である。カシメ止めの位置決めは目視で行われ、受け台の上に外側生地が載置される際に行われる。位置決めは所定のカシメ止め位置と受け台の下駒とを合わせて行われる。しかし、下駒には外側生地が被せられ、外側生地に隠れるため目視が行いにくい。このため、位置決めが困難であり、位置のズレが生じる。また、カシメ装置を作動させた際に外側生地がズレる場合もある。従って、カシメ止めでは連結部材を正確な位置に取付けることが困難である点に第１の問題点がある。
【０００８】
また、前記従来のアジャスタの取付け構造において、カシメ装置によるカシメ止めを行う場合、連結部材及び外側生地を加圧する必要がある。しかし、加圧によって連結部材に変形や損傷が発生する場合があり、外側生地にも損傷が発生する場合がある。従って、カシメ止めでは、連結部材や外側生地等に変形や損傷を生じさせるおそれがある点に第２の問題点がある。
【０００９】
また、前記従来のアジャスタの取付け構造において、連結部材を外側生地に取付ける場合には、専用装置であるカシメ装置が必要である。カシメ装置を有さない作業場等ではアジャスタを取付けることができない。また、カシメ装置には連結部材の内面側部材と外面側部材とに適合した上駒と下駒が必要である。形状や大きさの異なる連結部材を取り付ける場合には適合する上駒と下駒とに交換させる必要がある。従って、専用装置であるカシメ装置やこれに適合する上駒と下駒とが無ければ、カシメ止めによるアジャスタの取付けができない点に第３の問題点がある。
【００１０】
また、前記従来のアジャスタの取付け構造では、内面側部材と外面側部材とで外側生地を挟持させることにより連結部材が取付けられる。連結部材の厚さは少なくとも内面側部材と外面側部材との板厚以上となり、カシメ爪部がカシメられた部分はカシメ爪部の厚みが更に増すことになる。連結部材の厚さは部材の重なりによって厚さ寸法が大きくなる。従って、ウエスト打ち合わせ部の外側生地に突出部分が生じて外観体裁を損ない、さらに、突出部による圧迫が着用者のウエスト側にも生じ、着用者に違和感を生じさせる点に第４の問題点がある。
【００１１】
また、ウエスト打ち合わせ部の外側生地は身体背面側に自由端部を有し、身体背面側に開いた状態として形成される。外側生地はズボンのポケットの上方に形成され、ウエスト部分に引張力が加わると、外側生地も引張られて自由端はめくれあがろうとする。一方、アジャスタの連結部材は内面側部材の先端側にカシメ爪部が形成され、カシメ爪部によってウエスト打ち合わせ部の外側生地に取付けられる。内面側部材の後端側にはカシメ爪部はなく、外側生地の自由端側と内面側部材とは固定されない。従って、ズボン等を着用してウエスト部分が引張られると、スライダに対して外側生地の自由端がめくれあがり、外観体裁を損なう点に第５の問題点がある。
【００１２】
本発明は前記課題に鑑みてなされたものであって、その第１の目的は、連結部材の取付けの際に正確な位置決めをすることができるウエストサイズ調節用アジャスタの取付け構造を提供することにある。
【００１３】
また、第２の目的は、連結部材や外側生地等に変形や損傷を生じさせるおそれのないウエストサイズ調節用アジャスタの取付け構造を提供することにある。
【００１４】
また、第３の目的は、専用装置であるカシメ装置やこれに適合する上駒と下駒が無い場合でも、アジャスタの取付けができるウエストサイズ調節用アジャスタの取付け構造を提供することにある。
【００１５】
また、第４の目的は、連結部材の厚みを薄くすることができ、ズボン等の着用者のウエストを圧迫せず違和感を生じさせないウエストサイズ調節用アジャスタの取付け構造を提供することにある。
【００１６】
また、第５の目的は、ズボン等を着用してウエスト部分が引張られても、スライダに対して外側生地の自由端がめくれあがらず、外観体裁を損なわないウエストサイズ調節用アジャスタの取付け構造を提供することにある。
【課題を解決するための手段】
【００１７】
前記第１から第４の目的を達成するため、請求項１に記載の発明では、スライダと連結部材及びレールとから構成され、前記スライダを構成する操作体とスライダ基体との間にレールが挿通される挿通空間が形成されており、前記連結部材には、スライダのスライド方向に沿って舌片状に延設された起立片が形成されており、前記スライダのスライダ基体には前記起立片に係合される係合部と、前記連結部材が抱持される枠部とが形成されており、ズボン、スカート等のウエスト打ち合わせ部の外側生地内面に連結部材が取付けられ、また、ウエスト打ち合わせ部の内側生地外面にスライダに挿通されたレールの両端が取付けられるとともに、連結部材の起立片とスライダ基体の係合部とが係合され、かつ連結部材が枠部に抱持されて連結部材とスライダとが連結されるウエストサイズ調節用アジャスタの取付け構造において、
前記連結部材に縫着用穴部が形成されており、縫着用穴部とウエスト打ち合わせ部の外側生地内面とが縫着手段により取付けられる。
【００１８】
前記第１から第４の目的を達成するため、請求項２に記載の発明では、連結部材は連結主部と先端側固定部とを有し、前記先端側固定部は連結部材の先端側に形成され、縫着用穴部が形成されており、連結主部に起立片が形成される。
【００１９】
前記第１から第５の目的を達成するため、請求項３に記載の発明では、請求項１に記載の発明において、連結部材は連結主部と先端側固定部と後端側固定部とを有し、前記先端側固定部は連結部材の先端側に形成され、縫着用穴部が形成されており、前記後端側固定部は連結部材の後端側においてスライド方向に交わる幅方向に延設されて、スライダ基体に形成される枠部の幅方向の寸法より大きい幅方向の寸法を有するとともに、両端に縫着用穴部が形成されており、前記連結主部は先端側固定部の後端側であって、かつ後端側固定部の先端側に形成されており、該連結主部の内部に起立片が形成される。
【００２０】
従って、請求項１に記載の発明では、連結部材に形成された縫着用穴部と外側生地とが縫着手段により縫着されて、連結部材が外側生地内面に取付けられる。内側生地外面にはスライダに挿通されたレールの両端が取付けられる。連結部材の起立片とスライダの係合部とが係合され、かつ連結部材が枠部に抱持されて連結部材とスライダとが連結されて、アジャスタがウエスト打ち合わせ部に取付けられる。
【００２１】
また、請求項２に記載の発明では、連結部材の先端側に形成された先端側固定部と外側生地とが縫着されて、連結部材が外側生地内面に取付けられる。内側生地外面にはスライダに挿通されたレールの両端が取付けられる。連結部材の起立片とスライダの係合部とが係合され、かつ連結部材が枠部に抱持されて連結部材とスライダとが連結されて、アジャスタがウエスト打ち合わせ部に取付けられる。
【００２２】
また、請求項３に記載の発明では、連結部材の先端側に形成された先端側固定部と外側生地の固定端側とが縫着される。また、連結部材の後端側に形成された後端側固定部と外側生地の自由端側とが縫着される。連結部材の先端側固定部と後端側固定部での縫着により連結部材が外側生地内面に取付けられる。内側生地外面にはスライダに挿通されたレールの両端が取付けられる。外側生地に取付けられた連結部材とスライダとは、連結主部の内部に形成された起立片と、スライダに形成された係合部とが係合され、かつ連結部材が枠部に抱持されて連結部材とスライダとが連結されて、アジャスタがウエスト打ち合わせ部に取付けられる。
【発明の効果】
【００２３】
従って、請求項１から請求項３に記載の発明によれば、外側生地が外側生地内面を上に向けた状態に載置され、その上の所定の位置に連結部材を載置して位置決めをすることができるため、目視による位置決めを容易かつ正確に行うことができる。また、位置決めを行った状態のまま縫着手段で縫着することができるため、連結部材の位置がズレにくく、連結部材が正確に所定の位置に取付けられる。
【００２４】
また、請求項１から請求項３に記載の発明によれば、連結部材は外側生地に縫着手段によって縫着されるため、連結部材及び外側生地を加圧する必要がない。従って、連結部材や外側生地等に変形や損傷を生じさせないで、アジャスタをウエスト打ち合わせ部に取付けることができる。
【００２５】
また、請求項１から請求項３に記載の発明によれば、連結部材は外側生地に縫着手段によって縫着されるため、専用装置であるカシメ装置が不要である。縫着はミシンで行うことができる。ミシンはレールを内側生地に取付ける際にも使用されるものである。従って、汎用装置であるミシンを使用して連結部材とレールとを取付けることができ、アジャスタをウエスト打ち合わせ部に取付けることができる。
【００２６】
また、請求項１から請求項３に記載の発明によれば、連結部材は一枚の部材で構成されているため、部材の重なりによる厚さ寸法の増加はない。また連結部材には、カシメ爪部がなく直接外側生地に縫着されるため、カシメ爪部による厚み寸法の増加もない。連結部材の厚さ寸法は最小限の厚さに抑えられている。従って、外側生地に突出部分が生じることがなく、外観体裁が良好である。さらに、突出部が生じないため、着用者のウエストを圧迫せず、違和感を生じさせることもない。
【００２７】
また、請求項３に記載の発明によれば、上述の効果を発揮するほか、連結部材の先端側に形成された先端側固定部と、後端側に形成された後端側固定部とで連結部材が外側生地に取付けられるため、外側生地の自由端側と連結部材とが固定される。従って、ズボン等を着用してウエスト部分が引張られると、スライダに対して外側生地の自由端がめくれあがろうとするが、外側生地の自由端がスライダに固定されているため、めくれあがらず、ズボン等の外観体裁を損なわない。
【発明を実施するための最良の形態】
【００２８】
以下、本発明を具体化した実施例を説明する。
【実施例１】
【００２９】
本発明を具体化した実施例１を図１から図６に従って説明する。図６に示すように、本実施例のウエストサイズ調節用アジャスタは、ズボンのウエスト部に設けられた打ち合わせ部の外側生地5内面に連結部材3が取付けられる。スライダ1にはレール4が挿通され、レール4の両端は内側生地6外面に取付けられる。連結部材3とレール4とをそれぞれ個別に取付けた後にスライダ1と連結部材3とを連結させるのである。実施例の説明では、アジャスタがウエスト打ち合わせ部に取付けられた状態において、アジャスタの身体正面側を「先端側」とし、身体背面側を「後端側」とする。また、スライダ1が先端側及び後端側へスライドする方向を「スライド方向」とする。
【００３０】
連結部材3は外側生地5内面に取付けられる部材であり、スライダ1と連結されて、外側生地5とスライダ1を連結する部材である。図１に示すように、本実施例では連結部材3は板厚0.5mmの真鍮製の板材で形成される。連結部材3は連結主部31と先端側固定部32と後端側固定部33とから構成される。
【００３１】
図２に示すように、前記連結主部31には側片36と起立片37とが形成される。側片36は後記スライダ基体10に形成される枠部11に抱持される部分である。また、側片36は枠部11に当接されてスライダ1に作用する引張り力を受ける部分である。側片36はスライド方向と交わる幅方向（図２では上下）に延設される。起立片37は後記スライダ基体10の係合部15と係合され、連結部材3とスライダ1とを連結状態とし、連結状態を維持するものである。起立片37は連結主部31の内部に形成される。連結主部31の内部に形成される状態とは、起立片37の周囲が連結主部31で包囲されている状態とする。連結主部31の内部に２片の起立片37がスライド方向に沿って後端側へ向けて形成される。起立片37の周囲にはスリット状の間隙38が形成され、起立片37の自由端と連結主部31とが接しないようにされる。図３に示すように、起立片37は連結主部31に対して僅かに傾斜するように起立させている。起立片37は、自由端部を連結主部31の面に対して僅かに突出させている。尚、本実施例では起立片37は２片としたが１片または３片以上としてもよい。また、起立片37は連結主部31の内部に形成されることに限られず、起立片37が連結部材3の縁部、例えば後端部に形成されていてもよい。
【００３２】
図２に示すように、先端側固定部32は連結部材3の先端側を外側生地5に取付ける部分である。先端側固定部32は連結主部31の先端側に形成される。図３に示すように、先端側固定部32は連結主部31に対して段差をつけて形成される。先端側固定部32には縫着用穴部35が形成される。縫着用穴部35は連結部材3と外側生地5とが縫着される部分である。
【００３３】
図２に示すように、後端側固定部33は連結部材3の後端側を外側生地5に取付ける部分である。また、後端側固定部33はスライダ1と当接して、スライダ1に作用するスライド方向の力を受けて連結部材3とスライダ1との連結状態を維持する部分である。後端側固定部33は連結主部31の後端側に形成される。図３に示すように、後端側固定部33は連結主部31に対して段差をつけて形成される。図２に示すように、後端側固定部33はスライド方向に交わる幅方向に延設されて、連結主部31の幅方向の寸法より大きい幅寸法を有する。また、後端側固定部33は、後記スライダ基体10に形成される枠部11の幅方向の寸法より大きい幅方向の寸法を有する。後端側固定部33には縫着用穴部35が形成される。縫着用穴部35は連結部材3と外側生地5とが縫着される部分である。縫着用穴部35の周囲と外側生地5とが糸で連結されることにより縫着が行われる。
【００３４】
図１及び図６に示すように、本実施例におけるスライダ1は、本願出願人によって出願された特開２００１−１１７１９号公報（特許文献１）記載のスライダ1と略同一の構成であり、スライダ基体10以外の構成についての詳細な説明は省略する。図６に示すように、スライダ1は、レール(4)との係合位置を変更することによって、ウエストサイズを調節する部分であり、スライダ1はスライダ基体10と操作体20とから構成される。スライダ基体10と操作体20とが係合されてレール4が挿通される挿通空間が形成される。スライダ基体10に形成された延設板17の弾発力に抗して操作体20の操作部21を押圧すると操作体20が開かれ、操作体20のレール爪22がレール4の突条41から外れる構成である。
【００３５】
図１に示すように、前記スライダ基体10には、枠部11と係合部15とが形成される。枠部11は連結部材3に形成された側片36を案内し、かつ抱持する部分であり、連結部材3の側片36及び後端側固定部33と当接して、スライダ1に作用する引張り力を受ける部分である。枠部11には立壁部12、蓋部13、当接壁部14が形成されている。立壁部12はスライダ基体10に対して立ち上げて形成される。立壁部12は側片36の幅寸法に対応する間隔を確保して形成される。立壁部12の後縁部には後端側固定部33の前縁部が当接される。蓋部13は立壁部12の上部に形成される。蓋部13は連結部材3の板厚に対応する間隔をスライダ基体10との間に確保して形成される。当接壁部14は連結部材3の先端側への移動を制限する。当接壁部14は枠部11の先端側に形成される。
【００３６】
尚、枠部11と側片36の寸法は当接壁部14と側片36とが当接し、かつ枠部11の後縁部と後端側固定部33の前縁部とが当接する寸法としたが、当接壁部14と側片36だけが当接する寸法、または枠部11の後縁部と後端側固定部33の前縁部だけが当接する寸法としてもよい。
【００３７】
係合部15は連結部材3に形成された起立片37が係合してスライダ1と連結部材3とが連結され、分離しないようにする部分である。係合部15には段部が形成され、起立片37の自由端部と係合される。係合部15が形成される位置は、スライダ基体10の枠部11に連結部材3の側片36が完全に抱持された状態において起立片37の自由端部が係合される位置である。凹陥部16はスライダ基体10に係合部15を形成するための穴部または凹んで落ち込んだ部分であり、起立片37に干渉しないように起立片37を逃がす部分である。
【００３８】
次に本実施例にかかるアジャスタをズボンのウエスト部分に取付ける場合について説明する。図６に示すように、連結部材3はウエスト部の打ち合わせ部の外側生地5内面に取付けられる。連結部材3は外面生地と縫着により取付けられる。縫着作業では、例えば外側生地5が内面を上に向けた状態に載置され、その上の所定の位置に連結部材3を載置して位置決めが行われる。そして、位置決めを行った状態のままミシン等で縫着を行う。連結部材3の先端側に形成された先端側固定部32と外側生地5の固定端側とが縫着され、連結部材3の後端側に形成された後端側固定部33と外側生地5の自由端側とが縫着される。縫着は連結部材3の縫着用穴部35の周囲と外側生地5とが糸で連結されて行われる。内側生地6外面にはスライダ1に挿通されたレール4の両端が取付けられる（図６参照）。
【００３９】
次に、ウエスト部の打ち合わせ部に個別に取付けられた連結部材3とスライダ1とが連結される。図４、図５ではスライダ1のうち、操作体20を省略しているが、図４に示すように、連結はスライダ基体10の枠部11の後端側から先端側へ連結部材3の側片36を進入させて行う。側片36を枠部11に進入させると、起立片37が係合部15に当接する。しかし、起立片37は斜面部分が係合部15に当接すると押し上げられるように弾性変形されるため、側片36を枠部11の先端側に進入させることができる。図５及び図６に示すように、起立片37が係合部15を越えると起立片37が復元して自由端部が係合部15に係合する。一旦起立片37が係合部15に係合すると、連結部材3を退出させる方向に引いても係合は離脱されない。また、図５に示すように、このとき側片36が枠部11に抱持され、側片36と当接壁部14とが当接され、後端側固定部33の前縁部と枠部11の後縁部とが当接される。起立片37と係合部15との係合及び、側片36が枠部11に抱持されることにより連結部材3とスライダ基体10とが連結される。
【００４０】
この実施例１では以下の効果を有する。
【００４１】
（ア）縫着手段で連結部材3を取付けるため、外側生地5の所定の位置に連結部材3を載置して位置決めをすることができ、目視による位置決めを容易かつ正確に行うことができる。
【００４２】
（イ）連結部材3の位置決めを行った状態のまま縫着手段で縫着することができるため、連結部材3の位置がズレにくく、連結部材3が正確に所定の位置に取付けられる。
【００４３】
（ウ）連結部材3は外側生地5に縫着手段によって縫着されるため、スライダ1や連結部材3をカシメ装置によって加圧する必要がなく、これらの部材や外側生地5等に変形や損傷が生じさせることがない。
【００４４】
（エ）外側生地5に連結部材3が縫着されるため、カシメ手段による取付けと比較すると縫着部分の損傷が少なく強度の低下も少ない。また、カシメ手段と比較して外側生地5の縫着部分の耐久性が損なわれないため、アジャスタを使用したズボン等を長期間着用することができる。
【００４５】
（オ）連結部材3は外側生地5に縫着手段によって縫着されるため、専用装置であるカシメ装置が不要である。
【００４６】
（カ）連結部材3は一枚の板材で形成されているため、連結部材3を外側生地5に取付けても部材の重なりによる厚さ寸法の増加がない。
【００４７】
（キ）連結部材3には、カシメ爪部がなく直接外側生地5に縫着されるため、カシメ爪部による厚み寸法の増加がない。外側生地5に突出部分が生じることがなく、外観体裁が良好である。さらに、突出部が生じないため、着用者のウエストを圧迫せず、違和感を生じさせることもない。
【００４８】
（ク）連結部材3の先端側に形成された先端側固定部32と、後端側に形成された後端側固定部33とで連結部材3が外側生地5に取付けられるため、外側生地5の自由端側と連結部材3とが固定される。従って、ズボン等を着用してウエスト部分が引張られると、スライダ1に対して外側生地5の自由端がめくれあがろうとするが、外側生地5の自由端がスライダ1に固定されているため、めくれあがらず、ズボン等の外観体裁を損なわない。
【００４９】
（ケ）連結主部31の内部に起立片37が形成されるため、アジャスタをウエスト打ち合わせ部に取付けた状態ではスライダ1の側方から起立片37が露出しない。従って、外観体裁が良好である。
【００５０】
（コ）連結部材3は縫着用穴部35において縫着されるため、各縫着用穴部35で囲まれる領域は、外側生地5に隠されるため、各縫着用穴部35で囲まれる領域は連結部材3の側方に露出することはない。従って、先端側固定部32の縫着用穴部35と後端側固定部33の縫着用穴部35とで囲まれる領域内に起立片37が形成されることにより、起立片37が側方に露出せず、外観体裁が良好である。
【００５１】
（サ）連結部材3の先端側と後端側の両端にある縫着用穴において外側生地5に取付けられ、また、後端側固定部33の両端の縫着用穴において外側生地5に取付けられるため、外側生地5に対して連結部材3が確実に取付けられ、ブレが減少して安定する。また連結部材3の中央部にスライダ1が取付けられるため、外側生地5に対するスライダ1のブレが減少し、安定する。
【実施例２】
【００５２】
次に実施例２について説明する。この実施例では、連結部材3が連結主部31と先端側固定部32とから構成される点が前記実施例１と異なっている。前記実施例１と同一部分は同一符号を付して詳しい説明は省略する。
【００５３】
図７に示すように、連結部材3は連結主部31と先端側固定部32とから構成される。連結主部31には前記連結主部31には側片36と起立片37とが形成される。起立片37は連結主部31の後端側の縁部に形成されている。また、先端側固定部32には縫着用穴部35が形成される。この連結部材3によれば、上記実施例１の効果のうち、（ア）から（キ）の効果を有する。
【図面の簡単な説明】
【００５４】
【図１】本発明の実施例１にかかるスライダ1と連結部材3の斜視図。
【図２】連結部材3の拡大平面図。
【図３】図２のＡ―Ａ線における断面図。
【図４】スライダ1のスライダ基体10と連結部材3の組み付け前の平面図。
【図５】スライダ1のスライダ基体10と連結部材3の組み付け後の平面図。
【図６】ウエスト打ち合わせ部に取付けたアジャスタの一部を省略した拡大断面図。
【図７】実施例２にかかる連結部材3の平面図
【符号の説明】
【００５５】
1    スライダ
3    連結部材
4    レール
5    外側生地
6    内側生地
10    スライダ基体
11    枠部
12    立壁部
13    蓋部
14    当接壁部
15    係合部
16    凹陥部
17    延設板
20    操作体
21    操作部
22    レール爪
31    連結主部
32    先端側固定部
33    後端側固定部
35    縫着用穴部
36    側片
37    起立片
38    間隙
41    突条
【図１】
2005054320.tif 000003
【図２】
2005054320.tif 000004
【図３】
2005054320.tif 000005
【図４】
2005054320.tif 000006
【図５】
2005054320.tif 000007
【図６】
2005054320.tif 000008
【図７】
2005054320.tif 000009